(57)【要約】【課題】女性や年配の作業者等、力の弱い作業者でも、電路端子部への着脱作業を容易に行うことができ、また、狭所や高所に設けられている電路端子部への着脱作業も容易に行うことができ、しかも、電路端子部への安定した取り付け状態が確保され、かつ、適用場所等の制約も少ない短絡接地器具を提供する。【解決手段】接続具Ａは、電路の端子部を挟持可能なクリップ部材１と、クリップ部材１の開閉を操作するための操作機構２とを備えている。操作機構２は、クリップ部材１の一対のクリップ片１ａのグリップ部１ａ２にそれぞれ設けられたガイド部２ａと、一対のクリップ片１ａのガイド部２ａを周回するように、一対のクリップ片１ａのガイド部２ａに掛け渡され、その一端部が一方のクリップ片１ａの係止部２ｂ１に係止された操作紐２ｂと、一方のクリップ片１ａのグリップ部１ａ２に延設された棒状の把持部２ｃとを備えている。【選択図】図３
0003229429.tif 000002
【実用新案登録請求の範囲】
【請求項１】
電路の端子部に着脱可能に取り付けられる接続具を備えた短絡接地器具において、
前記接続具は、前記端子部を挟持可能なクリップ部材と、前記クリップ部材の開閉を操作するための操作機構とを備え、
前記クリップ部材は、先端側に挟持部、基端側にグリップ部を有する一対のクリップ片と、前記一対のクリップ片を回動可能に結合するヒンジ部と、前記一対のクリップ片を前記挟持部が閉じる方向に付勢するバネとを備え、
前記操作機構は、前記一対のクリップ片のグリップ部にそれぞれ設けられたガイド部と、前記一対のクリップ片のガイド部を周回するように、前記一対のクリップ片のガイド部に掛け渡され、その一端部が前記一対のクリップ片のうち一方に係止された操作紐と、前記一対のクリップ片のうち一方のグリップ部に延設された棒状の把持部とを備えていることを特徴とする短絡接地器具。
【請求項２】
前記操作紐は、前記一対のクリップ片のガイド部を複数回周回するように、前記一対のクリップ片のガイド部に掛け渡されていることを特徴とする請求項１に記載の短絡接地器具。
【請求項３】
前記把持部は中空棒状に形成され、前記操作紐の他端側部分は前記把持部の内部を通り、前記把持部に設けられた開口部から前記把持部の外部に出ていることを特徴とする請求項１又は２に記載の短絡接地器具。
【請求項４】
前記操作紐の他端部に取っ手が設けられていることを特徴とする請求項１から３のいずれか１項に記載の短絡接地器具。
【考案の詳細な説明】
【技術分野】
【０００１】
本考案は、キュービクル式高圧受電設備等の高圧電気設備の保守・点検等を行う際に、誤通電、他の電路との混触又は他の電路からの誘導による感電の危険を防止するために用いられる短絡接地器具に関する。
【背景技術】
【０００２】
高圧受電設備の保守・点検等を行う際には、高圧受電設備の電路を開路し、検電器により停電を確認すると共に、誤通電、他の電路との混触又は他の電路からの誘導による感電の危険を防止するため、短絡接地器具を用いて確実に短絡接地することが労働安全衛生規則で定められている。この短絡接地器具には、大別して、電線引掛け型と端子部挟持型とがあり、端子部挟持型の短絡接地器具として、例えば下記の特許文献１〜５に記載されたものが知られている。
【０００３】
通常、端子部挟持型の短絡接地器具（以下、単に「短絡接地器具」という。）は、高圧受電設備の遮断器や開閉器等の三相線電路の端子部にそれぞれ着脱可能に取り付けられる３つの電路側接続具と、接地端子部に着脱可能に取り付けられる１つの接地側接続具とを備えている。３つの電路側接続具と１つの接地側接続具との接続の仕方には、例えば特許文献１、２に示されているように、３つの電路側接続具を電線ケーブルで直列接続し、１つの電路側接続具と接地側接続具とを１本の電線ケーブルで接続する態様と、例えば特許文献４、５に示されているように、３つの電路側接続具にそれぞれ電路側電線ケーブルを接続すると共に、接地側接続具に１本の接地側電線ケーブルを接続し、３本の電路側電線ケーブルと１本の接地側電線ケーブルとを分岐接続部で接続する態様とがある。また、電路側接続具の方式には、例えば特許文献１〜３に示されているように、電路端子部への着脱を手動で行うバネクリップ式や、例えば特許文献４、５に示されているように、リンク機構やカム機構等で構成される開閉機構を接続具に設け、操作棒等の操作具で開閉機構を作動させて、電路端子部への着脱を行う操作方式がある。
【先行技術文献】
【特許文献】
【０００４】
【特許文献１】実開平７−７０７６号公報
【特許文献２】実開平５−６１９５８号公報
【特許文献３】特開２０１０−１４６８９６号公報
【特許文献４】特開２００２−１５２９３５号公報
【特許文献５】特開２００６−３４０４５７号公報
【考案の概要】
【考案が解決しようとする課題】
【０００５】
バネクリップ式の接続具は、端子部から容易に外れないようにするため、一対のクリップ片間に介装されるバネのバネ力を強くして、一対のクリップ片の挟持部で端子部を強固に挟持するように構成されている。そのため、端子部への着脱に際し、一対のクリップ片の挟持部をバネ力に抗して開くのに比較的大きな力を要し、女性や年配の作業者等、力の弱い作業者には使い難いことが多い。また、キュービクル式高圧受電設備等では、接地をとる端子部が狭所や高所に設けられていることがあり、接続具を握りながらの着脱作業には困難を伴うことが多い。
【０００６】
一方、操作式の接続具は、操作棒等の操作具の回動操作に伴う回動トルクを利用して、リンク機構やカム機構等で構成される開閉機構を開閉するように構成されている。そのため、端子部への着脱に際し、操作具を回動する操作が面倒であり、作業性が良くない。また、端子部の設置場所やその周辺部材との関係で、操作具の回動操作を行うことができないことも多く、適用できる場所等に制約が多い。さらに、開閉機構による端子部の挟持力は、操作具の回動トルクに依存するので、操作具の回動操作の仕方によっては、端子部への取り付け状態が不安定になることも懸念される。
【０００７】
上記のような従来技術上の問題点に鑑み、本考案は、女性や年配の作業者等、力の弱い作業者でも、電路端子部への着脱作業を容易に行うことができ、また、狭所や高所に設けられている電路端子部への着脱作業も容易に行うことができ、しかも、電路端子部への安定した取り付け状態が確保され、かつ、適用場所等の制約も少ない短絡接地器具を提供することを課題とする。
【課題を解決するための手段】
【０００８】
上記課題を解決するため、本考案は、電路の端子部に着脱可能に取り付けられる接続具を備えた短絡接地器具において、前記接続具は、前記端子部を挟持可能なクリップ部材と、前記クリップ部材の開閉を操作するための操作機構とを備え、前記クリップ部材は、先端側に挟持部、基端側にグリップ部を有する一対のクリップ片と、前記一対のクリップ片を回動可能に結合するヒンジ部と、前記一対のクリップ片を前記挟持部が閉じる方向に付勢するバネとを備え、前記操作機構は、前記一対のクリップ片のグリップ部にそれぞれ設けられたガイド部と、前記一対のクリップ片のガイド部を周回するように、前記一対のクリップ片のガイド部に掛け渡され、その一端部が前記一対のクリップ片のうち一方に係止された操作紐と、前記一対のクリップ片のうち一方のグリップ部に延設された棒状の把持部とを備えた短絡接地器具を提供する。
【考案の効果】
【０００９】
本考案によれば、女性や年配の作業者等、力の弱い作業者でも、電路端子部への着脱作業を容易に行うことができ、また、狭所や高所に設けられている電路端子部への着脱作業も容易に行うことができ、しかも、電路端子部への安定した取り付け状態が確保され、かつ、適用場所等の制約も少ない短絡接地器具を提供することができる。
【図面の簡単な説明】
【００１０】
【図１】第１の実施形態に係るクリップ部材が閉じた時の状態を示す側面図｛図１（ａ）｝、クリップ部材が開いた時の状態を示す側面図｛図１（ｂ）｝である。
【図２】第１の実施形態に係るクリップ部材が閉じた時の状態を示す斜視図｛図２（ａ）｝、クリップ部材が開いた時の状態を示す斜視図｛図２（ｂ）｝である。
【図３】第１の実施形態に係るクリップ部材が閉じた時の状態を示す一部断面図｛図３（ａ）｝、クリップ部材が開いた時の状態を示す一部断面図｛図３（ｂ）｝である。
【図４】第２の実施形態に係るクリップ部材が閉じた時の状態を示す側面図｛図４（ａ）｝、クリップ部材が開いた時の状態を示す側面図｛図４（ｂ）｝である。
【考案を実施するための形態】
【００１１】
以下、図面を参照しながら、本考案の実施の形態について説明する。
【００１２】
図１〜図３は、第１の実施形態の短絡接地器具において、電路の端子部に着脱可能に取り付けられる接続具Ａを示している。この実施形態の短絡接地器具は、例えば、キュービクル式高圧受電設備内の開閉器の開路した三相線電路を短絡接地するために用いられるもので、三相線電路の３つの端子部に取り付ける３つの接続具Ａと、接地側に取り付ける１つの接続具（図示省略）とを備えている。各接続具Ａにはそれぞれ電線ケーブルＢが接続されており、３つの接続具Ａの３本の電線ケーブルＢは、接地側の接続具に接続された１本の電線ケーブルと分岐接続部で接続される。尚、接地側の接続具は、接続具Ａと同様のものであってもよいし、通常のバネクリップ式のものであってもよいし、その他の方式のものであってもよい。
【００１３】
接続具Ａは、電路の端子部を挟持可能なクリップ部材１と、クリップ部材１の開閉を操作するための操作機構２とを備えている。
【００１４】
クリップ部材１は、先端側に挟持部１ａ１、基端側にグリップ部１ａ２を有する一対のクリップ片１ａと、一対のクリップ片１ａを回動可能に結合するヒンジ部１ｂと、一対のクリップ片１ａを挟持部１ａ１が閉じる方向に付勢するバネを主要な要素として構成される。上記のバネは、例えばコイルスプリングであり、ヒンジ部１ｂの内部に配置されている。クリップ片１ａは導電性の金属材料で形成され、そのグリップ部１ａ２には電気絶縁性の樹脂材料又はゴム材料で形成されたグリップカバー１ａ３が装着されている。電線ケーブルＢは一方のクリップ片１ａに接続され、また、一対のクリップ片１ａには、両者を電気的に短絡する短絡板１ｃが取り付けられている。
【００１５】
図３に示すように、操作機構２は、一対のクリップ片１ａのグリップ部１ａ２にそれぞれ設けられたガイド部２ａと、一対のクリップ片１ａのガイド部２ａを周回するように、一対のクリップ片１ａのガイド部２ａに掛け渡された操作紐２ｂと、一対のクリップ片１ａのうち一方のグリップ部１ａ２に延設された棒状の把持部２ｃとを主要な要素として構成される。
【００１６】
この実施形態において、ガイド部２ａは、グリップ部１ａ２の内部に配置された軸状部品で構成される。例えば、図３（ａ）の２点鎖線円内に拡大して示すように、ガイド部２ａは、グリップ部１ａ２の内部に軸支され、ヒンジ部１ｂの回動軸線と平行な軸線を有する支持軸２ａ１と、支持軸２ａ１に外挿された軸スリーブ２ａ２とを主要な要素として構成される。ガイド部２ａに掛け渡された操作紐２ｂは、軸スリーブ２ａ２の外周面と接触し、軸スリーブ２ａ２の外周面によって周回方向（掛け渡された方向）への移動をガイド（案内）される。軸スリーブ２ａ２は、操作紐２ｂに対する摩擦抵抗を軽減する観点から、摩擦係数の小さい材料で形成される。この実施形態では、軸スリーブ２ａ２をエンジニアリングプラスチック、特にポリアセタール樹脂で形成している。
【００１７】
この実施形態において、操作紐２ｂは、一対のクリップ片１ａのガイド部２ａを複数回、例えば２回周回するように掛け渡され、その一端部は、一方のクリップ片１ａに設けられた係止部２ｂ１に係止される。操作紐２ｂは、軸スリーブ２ａ２に対する摩擦抵抗を軽減する観点から、摩擦係数の小さい材料で形成される。この実施形態では、操作紐２ｂを樹脂製の撚り紐、特にポリエチレン樹脂製の３つ打ち紐（直径４ｍｍ程度）で形成している。
【００１８】
この実施形態において、把持部２ｃは、繊維強化プラスチック（ＦＲＰ）等の電気絶縁性の材料で中空棒状に形成され、一方のクリップ片１ａのグリップ部１ａ２の端部に連結される。把持部２ｃの連結は、例えば、グリップ部１ａ２の端部に延設した短軸状の嵌合部に把持部２ｃの一端部を外嵌した後、止めネジ等の適宜の手段で固定することにより行う。把持部２ｃの側部には、操作紐２ｂが通過可能な開口部２ｃ１（図２を参照）が設けられ、また、把持部２ｃの他端部には、ゴム製又は樹脂製のキャップ２ｃ２が装着される。
【００１９】
操作紐２ｂは、その一端部が一方のクリップ片１ａの係止部２ｂ１に係止され、一対のクリップ片１ａのガイド部２ａを２回周回した後、その他端側部分が一方のクリップ片１ａのグリップ部１ａ２から把持部２ｃの内部に入る。そして、操作紐２ｂの他端側部分は、把持部２ｃの内部を通り、把持部２ｃの開口部２ｃ１から把持部２ｃの外部に出る。把持部２ｃの外部に出た操作紐２ｂの他端部には取っ手２ｂ１が設けられている。
【００２０】
図１（ａ）、図２（ａ）、図３（ａ）は、接続具Ａの常時（クリップ部材１の開閉を操作していない時）の状態を示している。一対のクリップ片１ａは、バネの付勢力によりヒンジ部１ｂ回りに回動して、グリップ部１ａ２間の間隔が拡がり、挟持部１ａ１同士が閉じている。また、操作紐２ｂは、その他端部が把持部２ｃの外部に出ている。
【００２１】
接続具Ａを電路の端子部に取り付ける際には、図１（ｂ）、図２（ｂ）、図３（ｂ）に示すように、把持部２ｃを一方の手で握り、他方の手で操作紐２ｂの取っ手２ｂ１を掴み、取っ手２ｂ１を引っ張って、操作紐２ｂの他端側部分を矢印方向（手前方向）に引き寄せる。そうすると、一対のクリップ片１ａのガイド部２ａを周回する操作紐２ｂの部分が、ガイド部２ａの軸スリーブ２ａ２の外周面にガイドされながら、図３の紙面で半時計方向回りに移動し、これにより、操作紐２ｂの周回部分のループが絞られて、一対のクリップ片１ａのガイド部２ａ間の間隔が狭まる。そのため、一対のクリップ片１ａは、バネの付勢力に抗してヒンジ部１ｂ回りに回動して、グリップ部１ａ２間の間隔が狭まり、挟持部１ａ１同士が開く。この状態で、一対のクリップ片１ａの挟持部１ａ１を電路の端子部に宛がうのであるが、その際、引き寄せた操作紐２ｂの他端側部分を把持部２ｃの外面に重ね、把持部２ｃと共に一方の手で握るようにすると、端子部への取り付け作業を片手（一方の手）で行うことができる。そして、一対のクリップ片１ａの挟持部１ａ１を電路の端子部に宛がった後、操作紐２ｂの引き寄せ状態を解除すると、上記とは逆の動作で、操作紐２ｂの周回部分のループが拡がり、一対のクリップ片１ａのガイド部２ａ間の間隔が拡がる。そのため、一対のクリップ片１ａは、バネの付勢力によりヒンジ部１ｂ回りに回動して、グリップ部１ａ２間の間隔が拡がり、挟持部１ａ１同士が閉じる。これにより、一対のクリップ片１ａの挟持部１ａ１が電路の端子部を挟持した状態で、接続具Ａが当該端子部に取り付けられる。
【００２２】
一方、接続具Ａを電路の端子部から取り外す際には、上記と同様の手順で操作機構２を操作し、一対のクリップ片１ａの挟持部１ａ１同士を開いて当該端子部から接続具Ａを取り外す。
【００２３】
この実施形態の短絡接地器具の接続具Ａは、一対のクリップ片１ａのガイド部２ａを周回するように、一対のクリップ片１ａのガイド部２ａに掛け渡され、その一端部が一方のクリップ片１ａの係止部２ｂ１に係止された操作紐２ｂの他端側部分を引き寄せ・引き寄せ解除することで、グリップ部材１の開閉する構成であるので、比較的小さい力でグリップ部材１を開くことできる。グリップ部材１を開くのに要する力は、一対のクリップ片１ａのガイド部２ａを周回する操作紐２ｂの周回数や、操作紐２ｂとガイド部２ａ（軸スリーブ２ａ２）との摩擦抵抗によっても異なるが、この実施形態の条件（周回数２、ポリアセタール樹脂製の軸スリーブ２ａ２、ポリエチレン樹脂製の操作紐２ｂ）では、同じバネ力（挟持力）をもった通常のバネクリップ式の接続具に対して、約半分の力でグリップ部材１を開くことできる。そのため、女性や年配の作業者等、力の弱い作業者でも、電路の端子部への接続具Ａの着脱作業を容易に行うことができる。また、操作紐２ｂを引き寄せ・引き寄せ解除するだけで、電路の端子部への接続具Ａの着脱作業をワンタッチで容易に行うことができる。しかも、クリップ部材１の挟持力は、一対のクリップ片１ａ間に介装されたバネの付勢力によって一律に決まるので、操作紐２ｂの引き寄せ状態を解除したとき、電路の端子部はクリップ部材１によって常に一定の力で挟持される。これにより、電路の端子部への接続具Ａの安定した取り付け状態が確保される。
【００２４】
また、グリップ部材１には棒状の把持部２ｃが延設されているので、狭所や高所に設けられている電路の端子部への接続具Ａの着脱作業も容易に行うことができる。
【００２５】
また、操作紐２ｂを引き寄せ・引き寄せ解除する操作は、電路の端子部の設置場所やその周辺部材との関係で制約を受けることが少ないので、接続具Ａの適用範囲は広い。
【００２６】
図４は、第２の実施形態に係る接続具Ｂを示している。第２の実施形態に係る接続具Ｂが、上述した第１の実施形態に係る接続具Ａと異なる点は、操作紐２ｂが通過可能な開口部２ｃ１’が把持部２ｃの他端部に設けられている点である。図４に示す例では、把持部２ｃの他端部に装着されたゴム製又は樹脂製のキャップ２ｃ２’に開口部２ｃ１’が設けられている。その他の事項は、上述した第１の実施形態に係る接続具Ａに準じるので、重複する説明を省略する。
【符号の説明】
【００２７】
Ａ      接続具
１      クリップ部材
１ａ    クリップ片
１ａ１  挟持部
１ａ２  グリップ部
１ｂ    ヒンジ部
２      操作機構
２ａ    ガイド部
２ｂ    操作紐
２ｂ１  取っ手
２ｃ    把持部
２ｃ１  開口部
２ｃ１’開口部
【図１】
0003229429.tif 000003
【図２】
0003229429.tif 000004
【図３】
0003229429.tif 000005
【図４】
0003229429.tif 000006